(57)【要約】【課題】外装カバーに外部から衝撃が加えられて変形したとしても、曲面ミラー及び保持部材に外力が伝わらないようにして、保持部材による曲面ミラーの角度調整が狂わないようにする。【解決手段】結像光学系から第１の出射方向へ出射された画像光を第２の出射方向へ反射する曲面ミラー１と、ミラー保持部材１１・１２と、そのミラー保持部材を介して曲面ミラーの反射面の角度を調整する角度調整機構Ａ１・Ａ２と、結像光学系を内蔵する鏡筒４１と、を備える投射光学系において、ミラー保持部材１１・１２を一端に取り付けて、鏡筒４１の投射側の端部に他端が固定される固定部材２１と、鏡筒４１の投射側の端部に他端が固定されて、結像光学系の一部、曲面ミラー１、ミラー保持部材１１・１２、及び固定部材２１を収納する外装カバー５１と、を備え、曲面ミラー１、ミラー保持部材１１・１２、及び固定部材２１を、外装カバー５１と非接触状態とする。【選択図】図１３
2014139608.tif 000002
【特許請求の範囲】
【請求項１】
結像光学系から第１の出射方向へ出射された画像光を、第２の出射方向へ反射する曲面ミラーと、
前記曲面ミラーを保持するミラー保持部材と、
前記ミラー保持部材を介して前記曲面ミラーの反射面の角度を調整する角度調整機構と、
前記結像光学系を内蔵する鏡筒と、を備える投射光学系において、
前記ミラー保持部材を一端に取り付けて、前記鏡筒の投射側の端部に他端が固定される固定部材と、
前記鏡筒の投射側の端部に他端が固定されて、前記結像光学系の一部、曲面ミラー、ミラー保持部材、及び固定部材を収納する外装カバーと、を備え、
前記曲面ミラー、ミラー保持部材、及び固定部材を、前記外装カバーと非接触状態としたことを特徴とする曲面ミラーの取付構造。
【請求項２】
前記外装カバーの内部に沿わせた形状で、前記固定部材よりも外周側に取り付けられる補強用部材を備えることを特徴とする請求項１に記載の曲面ミラーの取付構造。
【発明の詳細な説明】
【技術分野】
【０００１】
本発明は、曲面ミラーの取付構造に関する。
【背景技術】
【０００２】
以前より、投射光学系において、最も出射面側に位置する光学素子に曲面ミラーを設置し、画像光を反射することで、投射距離の短縮と広角化を実現していた。
この際、曲面ミラーの性質上、曲面ミラーの反射面の角度や位置の微小のズレが被投射面上に投射される投射映像の結像性能に大きく影響を与えるため、投射光学系をプロジェクターへ組み込む際の曲面ミラーの反射面の角度及び位置の精密な調整が必須であった。
【０００３】
例えば、曲面ミラーの反射面外の外周面や背面を曲面ミラーの保持部材により調整可能に三点支持をするフローティング機構などがある（特許文献１参照）。また、曲面ミラーを第１保持部材で保持し、第１保持部材を第２保持部材で保持を行い、第１保持部材に対して曲面ミラーを光軸と直交する第１軸を回動軸にして回動させ、第２保持部材に対して第１保持部材を光軸及び第１軸と直交する第２軸を回動軸にして回動させることにより、曲面ミラーの角度を微調整する機構もある（特許文献２参照）。
【先行技術文献】
【特許文献】
【０００４】
【特許文献１】特開２００２−２２８９０５号公報
【特許文献２】特開２０１１−５９４５９号公報
【発明の概要】
【発明が解決しようとする課題】
【０００５】
しかし、精密な調整を施したとしても、外部からの衝撃により外装カバーや曲面ミラーの設置面が撓んでしまうと、曲面ミラーの反射面の角度及び位置に狂いが生じてしまい、それが結像性能に悪影響を与える可能性があった。
【０００６】
本発明の課題は、外装カバーに外部から衝撃が加えられて変形したとしても、曲面ミラー及び保持部材に外力が伝わらないようにして、保持部材による曲面ミラーの角度調整が狂わないようにすることである。
【課題を解決するための手段】
【０００７】
以上の課題を解決するため、請求項１に記載の発明は、
結像光学系から第１の出射方向へ出射された画像光を、第２の出射方向へ反射する曲面ミラーと、
前記曲面ミラーを保持するミラー保持部材と、
前記ミラー保持部材を介して前記曲面ミラーの反射面の角度を調整する角度調整機構と、
前記結像光学系を内蔵する鏡筒と、を備える投射光学系において、
前記ミラー保持部材を一端に取り付けて、前記鏡筒の投射側の端部に他端が固定される固定部材と、
前記鏡筒の投射側の端部に他端が固定されて、前記結像光学系の一部、曲面ミラー、ミラー保持部材、及び固定部材を収納する外装カバーと、を備え、
前記曲面ミラー、ミラー保持部材、及び固定部材を、前記外装カバーと非接触状態とした、曲面ミラーの取付構造を特徴とする。
【０００８】
請求項２に記載の発明は、
請求項１に記載の曲面ミラーの取付構造であって、
前記外装カバーの内部に沿わせた形状で、前記固定部材よりも外周側に取り付けられる補強用部材を備えることを特徴とする。
【発明の効果】
【０００９】
本発明によれば、外装カバーに外部から衝撃が加えられて変形したとしても、曲面ミラー及び保持部材に外力が伝わらず、保持部材による曲面ミラーの角度調整が狂わない。
【図面の簡単な説明】
【００１０】
【図１】本発明を適用した曲面ミラーの調整装置の一実施形態の構成を示すもので、曲面ミラーと第１保持部材（ミラー保持部材）の関係を曲面ミラー側から見た分解斜視図である。
【図２】図１と逆に第１保持部材側から見た図である。
【図３】図１及び図２の曲面ミラーと第１保持部材を結合して第２保持部材（ミラー保持部材）との関係を示すもので、第１保持部材側から見た斜視図（ａ）と、その反対側から見た図（ｂ）である。
【図４】図３の曲面ミラーと第１保持部材及び第２保持部材を結合した状態を示すもので、調整用ねじ側から見た斜視図（ａ）と、その反対側から見た図（ｂ）である。
【図５】図４の曲面ミラーと第１保持部材及び第２保持部材と固定部材の関係を示すもので、固定部材側から見た斜視図（ａ）と、その反対側から見た図（ｂ）である。
【図６】図５の曲面ミラーと第１保持部材及び第２保持部材と固定部材と冶具部材の関係を示すもので、冶具部材側から見た斜視図（ａ）と、その反対側から見た図（ｂ）である。
【図７】図６の曲面ミラーと第１保持部材及び第２保持部材と固定部材と冶具部材の結合状態を示すもので、冶具部材側から見た斜視図（ａ）と、その反対側から見た図（ｂ）である。
【図８】曲面ミラーと第１保持部材の関係を示すもので、背面側から見た模式図（ａ）と、その中央縦断面図（ｂ）である。
【図９】曲面ミラーと第１保持部材の関係を示すもので、前面側から見た模式図（ａ）と、その中央縦断面図（ｂ）である。
【図１０】第２保持部材に対する第１保持部材の関係を示す要部縦断側面図である。
【図１１】固定部材に対する第２保持部材の関係を示す要部縦断側面図である。
【図１２】鏡筒との関係を示す斜視図である。
【図１３】外装カバーとの関係を示すもので、外装カバーを中央で破断して示した図である。
【図１４】鏡筒に外装カバーを設けた状態の平面図である。
【図１５】図１４の矢印Ｄ−Ｄ線に沿った断面図である。
【図１６】図１４の矢印Ｅ−Ｅ線に沿った断面図である。
【発明を実施するための形態】
【００１１】
以下、図を参照して本発明を実施するための最良の形態を詳細に説明する。
（実施形態）
＜曲面ミラーの調整装置＞
図１及び図２は本発明を適用した曲面ミラーの調整装置の一実施形態の構成として曲面ミラー１とミラー保持部材の第１保持部材１１の関係を示すもので、図３及び図４はさらにミラー保持部材の第２保持部材１２との関係を示し、図５はさらに固定部材２１との関係を示し、図６及び図７はさらに冶具部材３１との関係を示している。
【００１２】
そして、図８及び図９は曲面ミラー１と第１保持部材１１の関係を模式的に示すもので、図１０は第２保持部材１２に対する第１保持部材１１の関係を示し、図１１は固定部材２１に対する第２保持部材１２の関係を示している。
【００１３】
「前提」
始めに、画像調整素子からの画像光を屈折光学素子から構成される結像光学系へ入射し、結像光学系から出射した光線を曲面ミラー１の反射面で反射することにより被投射面へ画像光を拡大投射する投射光学系において、図１に示すように、結像光学系の光線をＺ軸、画像調整素子の画像中心から出射した光線の軌跡の存在する平面内におけるＺ軸と直交する軸をＹ軸、Ｚ軸及びＹ軸とそれぞれ直交する軸をＸ軸と規定し、各軸と平行な方向をそれぞれＺ軸方向、Ｙ軸方向、Ｘ軸方向と規定する。
【００１４】
また、投射光学系を光軸が地面と平行となるように地面に設置した場合において、Ｚ軸方向において、画像調整素子側を前側、被投射面側を後側と規定し、Ｘ軸方向において、前側から後側を見た場合の左右をそれぞれ左側、右側と規定して、Ｙ軸方向において、前側から後側を見た場合の上下をそれぞれ上側、下側と規定し、左右方向はＸ軸方向、上下方向はＹ軸方向、前後方向はＺ軸方向とそれぞれ対応する。
【００１５】
曲面ミラー１は、非円形の曲線を回転軸にＺ軸を用いて回転させた際に形成される非球面のうち、鏡軸であるＺ軸上の面を含まない一部の面を用いた形状を有しており、結像光学系の光軸及び曲面ミラー１の鏡軸は共軸である。
【００１６】
「曲面ミラー」
図１及び図２に示すように、曲面ミラー１の反射面外の外周面のＸ軸と平行な第１軸線上に、左右一箇所ずつ溝状の第１係合部１ａが形成されている。この第１係合部１ａは、曲面ミラー１の前側から後側へ向かって溝が形成され、反射面側は開放されている。
【００１７】
曲面ミラー１の下端部側には、軸心がＹ軸方向に向き、かつＺ軸と直交する突起部１ｂが形成されている。この突起部１ｂは、前後方向に貫通した穴部１ｃを有している。
また、曲面ミラー１の上端部側には、軸心がＹ軸方向に向い、かつＺ軸と直交する突起部１ｄが形成されている。
【００１８】
「第１保持部材」
曲面ミラー１の外周側には、図１及び図２に示すように、第１保持部材１１が配置されている。この第１保持部材１１は、内周側に曲面ミラー１を保持可能に形成されている。
第１保持部材１１には、曲面ミラー１の第１係合部１ａに対応する位置に、左右方向に貫通した貫通孔１１ａが形成されている。この左右の貫通孔１１ａには、軸心が各々Ｘ軸と平行な第１軸線上にある軸状部材の第１被係合部材２がそれぞれ嵌め込まれている。第１係合部１ａは第１被係合部材２と係合することにより、第１保持部材１１に第１軸線を回動軸として回動可能に保持されている。
【００１９】
また、一方の第１被係合部材２と第１保持部材１１との間にはスプリングワッシャ３が挿入されている。このスプリングワッシャ３により曲面ミラー１は一方の第１被係合部材２と共に第１保持部材１１の他方に押し付けられている。
第１保持部材１１には、曲面ミラー１の突起部１ｂに対応する位置に突起部１１ｂが形成されている。この突起部１１ｂには、前後方向に貫通しかつ前側の開口が狭くねじ穴状である座ぐり形状の穴部１１ｃが形成されている。そして、曲面ミラー１の穴部１ｃと第１保持部材１１の穴部１１ｃには、後側から調整用ねじ４が挿入されて、穴部１１ｃのねじ穴部と螺合している。また、穴部１１ｃの内部には、圧縮バネ５が後側から挿入されている。
【００２０】
そして、第１保持部材１１には、曲面ミラー１の突起部１ｄに対応する位置に、位置調整用溝部１１ｄが形成されている。この位置調整用溝部１１ｄは、左右方向の溝幅が突起部１ｄの直径よりも大きく、前後方向の溝の深さが突起部１ｄの直径とほぼ等しくなっている。そして、第１保持部材１１の後側から突起部１ｄを位置調整用溝部１１ｄへ挿入した後、位置調整用溝部１１ｄの後側からビス６で固定される板バネ７により、突起部１ｄを位置調整用溝部１１ｄの底部である前側の壁面へ押し付けている。
【００２１】
第１保持部材１１の上端部には、左右方向に離間した位置に二つの板バネ８の一端がビス９でそれぞれ固定されている。この板バネ８の他端は、第１保持部材１１の前側端部から前側へ突き出しており、第１保持部材１１内部の曲面ミラー１の外周部の上端部を付勢している。
【００２２】
よって、図８及び図９に示すように、曲面ミラー１を第１保持部材１１に対して第１被係合部材２を介して保持した状態で調整ねじ４を調整することにより、曲面ミラー１を第１保持部材１１に対して第１軸線（Ｘ）を回転軸として回動可能とした第１角度調整機構Ａ１を構成している。この第１角度調整機構Ａ１により、曲面ミラー１の反射面の角度調整及び固定が可能となっている。
【００２３】
また、スプリングワッシャ３によりＸ軸方向のガタツキを抑制し、板バネ７により曲面ミラー１の第１被係合部材２からの脱落及びＺ軸方向のガタツキを抑制し、板バネ８によりＹ軸方向のガタツキを抑制した第１姿勢保持機構Ｂ１を構成している。
【００２４】
さらに、第１保持部材１１の左右方向の外周側の両側面には、延設部１１ｅが一つずつ形成されている。この延設部１１ｅには、上下方向に貫通し、左右方向に比べて前後方向に口径が大きくなった長穴状の穴部１１ｆが形成されている。
そして、２つの延設部１１ｅの後端部には、下方向に延設された延設部１１ｇがそれぞれ一つずつ形成されている。この延設部１１ｇには、Ｚ軸方向に貫通した穴部１１ｈが形成されている。
【００２５】
また、第１保持部材１１の上端部には、調整用穴部１１ｉが形成されている。この調整用穴部１１ｉの中心軸は、Ｚ軸と直交するＹ軸方向にあり、中心軸とＺ軸の交点は曲面ミラー１の前側の表面付近で結ばれている。
【００２６】
「第２保持部材」
第１保持部材１１の背面側には、図３に示すように、第２保持部材１２が配置されている。この第２保持部材１２は、内周側に曲面ミラー１を保持した第１保持部材１１を保持可能に形成されている。
第２保持部材１２には、第１保持部材１１の穴部１１ｆに対応する位置に、左右一つずつの固定用ねじ穴部１２ｆが形成されている。この固定用ねじ穴部１２ｆは、第２保持部材１２の端部上に突出した突出部１２ｅのＹ軸方向に向いた軸心に形成されている。
固定用ねじ１３を穴部１１ｆに挿入して固定用ねじ穴部１２ｆに螺合することにより、第２保持部材１２に対して第１保持部材１１の移動を制限している。
【００２７】
なお、固定用ねじ１３で結合する際には、スプリングワッシャ１４と平ワッシャ１５を先に固定用ねじ１３に嵌め込み、第１保持部材１１と第２保持部材１２の間に平ワッシャ１６を挟んでから、固定用ねじ１３を固定用ねじ穴１２ｆに螺合する。
【００２８】
そして、第２保持部材１２には、第１保持部材１１の穴部１１ｈに対応する位置に、左右一つずつの穴部１２ｈが形成されている。この穴部１２ｈは、後側の開口の口径は広くなっているが、前側の開口の口径は小さくなり、ねじ穴状である座ぐり形状になっている。また、穴部１２ｈには、図１０に示すように、後側から圧縮バネ１８が挿入されている。
【００２９】
図４に示すように、後側から調整用ねじ１７を穴部１１ｈ及び圧縮バネ１８、穴部１２ｈに挿入し、穴部１２ｈのねじ穴部に調整用ねじ１７を螺合する。
【００３０】
また、第２保持部材１２の後端部には、穴部１２ｈと左右方向では同軸上に存在し、穴部１２ｈよりも曲面ミラー１の光軸に近づいた位置に、二つの調整用治具固定部１２ｊが形成されている。
【００３１】
よって、図６及び図７に示すように、調整用治具固定部１２ｊに背面から治具部材３１を一対の冶具固定用ねじ３２により固定し、治具部材３１に形成された突起部３１ｉを第１保持部材１１に形成された調整用穴部１１ｉに係合することにより、第１保持部材１１は調整用穴部１１ｉのＹ軸と平行な中心軸を回動軸として回動可能でかつ平行移動が規制される。
【００３２】
このため、図１０に示すように、調整用ねじ１７により第１保持部材１１を第２保持部材１２に対して第２軸線（Ｙ）を回転中心とした角度調整を行う第２角度調整機構Ａ２を構成している。
【００３３】
また、曲面ミラー１の反射面の角度を調整してから固定用ねじ１３を締めることにより、調整後の姿勢を保持することが可能となる第２姿勢保持機構Ｂ２を構成している。
【００３４】
ここで、治具部材３１は第１保持部材１１を第２保持部材１２に対して調整を完了した後に外しても良いし、そのまま補強部材として残しておいてもよい。
【００３５】
さらに、第２保持部材１２には、図３に示すように、前後方向において、突出部１２ｅと同軸上にあり、かつ突出部１２ｅよりも前側に離間した位置に、左右１つずつの穴部１２ｋが形成されている。この穴部１２ｋは、上下方向に貫通し、かつ前後方向に比べて左右方向の口径が大きくなった長穴状になっている。
【００３６】
また、第２保持部材１２の穴部１２ｋの形成されている平面部１２ｍは、その左右方向に光軸から離間した辺縁部に垂直で下方向に延びた平面部１２ｎを有している。この平面部１２ｎには、左右方向において、穴部１２ｋと同軸上にあり、かつ左右方向に貫通した調整用ねじ穴部１２ｐが形成されている。
【００３７】
こうして、反射面の角度及び位置を調整後に固定可能に保持している曲面ミラー１及び第１保持部材１１、第２保持部材１２を組み合わせて反射面保持機構とする。
【００３８】
「固定部材」
以上の反射面保持機構の下面側には、図５に示すように、固定部材２１が配置されている。この固定部材２１は、内周側に反射面保持機構を保持可能に形成されている。反射面保持機構は、固定部材２１の後側端部に配置されている。
固定部材２１は、前側の左右両端部に、屈折光学素子による結像光学系を内包する鏡筒４１（図１２参照）に固定するための固定用係合部２１ａを有している。
【００３９】
固定部材２１には、第２保持部材１２の穴部１２ｋに対応する位置に、左右１つずつの固定用ねじ穴部２１ｋが形成されている。この固定用ねじ穴部２１ｋは、固定部材２１の端部上に突出した突出部２１ｂの軸心に形成されている。
固定用ねじ２２を穴部１２ｋに挿入して固定用ねじ穴部２１ｋと螺合することにより、固定部材２１に対して第２保持部材１２の移動を制限している。
【００４０】
なお、固定用ねじ２２で結合する際には、スプリングワッシャ２３と平ワッシャ２４を先に固定用ねじ２２に嵌め込み、第２保持部材１２と固定部材２１の間に平ワッシャ２５を挟んでから固定用ねじ２２を固定用ねじ穴部２１ｋと螺合する。
【００４１】
そして、固定部材２１には、第２保持部材１２の調整用ねじ穴部１２ｐに対応する位置に、穴部は無く壁面である壁部２１ｐが存在している。この調整用ねじ穴部２１ｐに調整用ねじ２６が螺合されると、調整用ねじ２６が調整用ねじ穴部１２ｐを貫通して、その先端部が固定部材２１の壁部２１ｐを押す。
【００４２】
よって、図６に示すように、調整用ねじ２６により第２保持部材１２を固定部材２１に対してＸ軸方向へ平行移動させることにより、反射面の位置の調整を行う第１位置調整機構Ｃ１を構成している。
【００４３】
また、図１１に示すように、反射面の位置が決定してから固定用ねじ２２を締めることにより、調整後の姿勢を保持することが可能となる第３姿勢保持機構Ｂ３を構成している。
【００４４】
以上のように、実施形態において、曲面ミラー１の調整装置は、第１軸線（Ｘ）を回転中心とする第１角度調整機構Ａ１、第２軸線（Ｙ）を回転中心とする第２角度調整機構Ａ２、第１姿勢保持機構Ｂ１、第２姿勢保持機構Ｂ２、第３姿勢保持機構Ｂ３、第１軸線（Ｘ）方向への第１位置調整機構Ｃ１を備えている。
【００４５】
以上、実施形態の曲面ミラー１の調整装置によれば、第１角度調整機構Ａ１、第２角度調整機構Ａ２、第１姿勢保持機構Ｂ１、第２姿勢保持機構Ｂ２、第３姿勢保持機構Ｂ３、及び第１位置調整機構Ｃ１を互いに独立して備えることで、反射面の角度、姿勢及び位置をそれぞれ独自に調整でき、より高精度で容易に調整することができる。
【００４６】
また、第１保持部材１１と第２保持部材１２の間にあるワッシャ１６及び／または第２保持部材１２と固定部材２１との間にある平ワッシャ２５は、そのワッシャの厚さや挟む枚数を変えることにより、反射面の上下方向の位置の調整を行うことが可能な第２位置調整機構としての機能を持たせることも可能である。
【００４７】
その際に、高さ調整機構は、Ｘ軸方向において、同軸上で、かつ左右方向に離間して二箇所あるため、一方に挟むワッシャの数や厚みを他方に対して異ならせることにより、鏡軸を回転軸として反射面を回動させることも可能である。
【００４８】
＜曲面ミラーの取付構造＞
次に、以上の曲面ミラー１、第１保持部材１１、第２保持部材１２、及び固定部材２１の鏡筒４１に対する取付構造について説明する。
【００４９】
図１２は鏡筒４１との関係を示すもので、図１２は外装カバー５１との関係を示し、図１４は鏡筒４１に外装カバー５１を設けた状態を示し、図１５と図１６は図１４の矢印Ｄ−Ｄ線及び矢印Ｅ−Ｅ線に沿った断面をそれぞれ示している。
【００５０】
「鏡筒」
図１２に示すように、結像光学系は少なくとも一部のレンズが光軸方向へ移動可能に鏡筒４１内に保持されており、鏡筒４１は図示しない本体に固定されている。
【００５１】
鏡筒４１には、その投射側の外周部に、１８０°間隔に突起状の固定用被係合部４１ａが二ヵ所に形成されている。この固定用被係合部４１ａは、Ｙ軸と直交する平面部を持ち、Ｚ軸方向に長辺を持った平板状の形状であり、その平面部に、上下方向に貫通した二つの取付用ねじ穴４１ｂと、その取付用ねじ穴４１ｂの間に挟まれて上下方向に貫通した取付用穴部４１ｃが形成されている。
【００５２】
「固定部材」
図５から図７に示したように、固定部材２１の後端部の固定用係合部２１ａには、その平面部に二つの取付用ねじ穴２１ｂと、その取付用ねじ穴２１ｂの間に挟まれた取付用突起部２１ｃが形成されている。
【００５３】
そして、固定部材２１の固定用係合部２１ａの上に、鏡筒４１の固定用被係合部４１ａを重ね、取付用突起部２１ｃに取付用穴部４１ｃを係合させる。この際に、固定部材２１の取付用ねじ穴２１ｂと、鏡筒４１の取付用ねじ穴４１ｂは、各々の中心軸がＹ軸方向において同軸上にあり、図１３及び図１５に示すように、取付用ねじ４２でそれぞれ固定される。これにより、固定部材２１と鏡筒４１とを位置決めしつつ取り付けることが可能となっている。
【００５４】
以上の構成により、固定部材２１の後端部は、本体に固定された鏡筒４１の前端部と固定されており、固定部材２１の投射方向へ突き出した前端部には、前述した曲面ミラー１の第１角度調整機構Ａ１、第２角度調整機構Ａ２、第１姿勢保持機構Ｂ１、第２姿勢保持機構Ｂ２、第３姿勢保持機構Ｂ３、及び第１位置調整機構Ｃ１が備えられている。すなわち、曲面ミラー１を含む各調整機構及び保持機構は固定部材２１により宙吊りになっている。
【００５５】
「外装カバー」
さらに、鏡筒４１の固定用被係合部４１ａよりも前方の光学系を構成する部材は、図１３から図１６に示すように、外装カバー５１により内包されている。この外装カバー５１は、鏡筒４１に固定されて固定部材２１及び曲面ミラー１の各調整機構及び保持機構とは所定の距離も保って非接触を保っている。
【００５６】
すなわち、外装カバー５１は、上側カバー５２と下側カバー５３を合体したもので、上側カバー５２は、鏡筒４１の先端上面に左右一対の上側カバー固定ねじ５４で固定されて、下側カバー５３は、鏡筒４１の先端下面に左右一対の下側カバー固定ねじ５５で固定される。そして、上側カバー５２と下側カバー５３は、左右一対の外装カバー固定ねじ５６で互いに固定される。
【００５７】
「補強用部材」
また、図１３及び図１５に示すように、固定部材２１の固定用係合部２１ａを有する平面で切断した断面を想定した際の、固定部材２１の外周面に沿った形状の補強用部材４５を、固定用係合部２１ａ及び／または鏡筒４１の固定用被係合部４１ａで固定する。こうして、固定部材２１へ外装カバー５１が直接接触することを防ぐことにより、一層の強化を図ることも可能である。
【００５８】
すなわち、補強用部材４５は、左右一対用意され、鏡筒４１の固定用被係合部４１ａに対応する固定用被係合部４５ａが基端部に形成されている。この固定用被係合部４５ａには、取付用ねじ穴４１ｂと取付用穴部４１ｃに対応する取付用ねじ穴４５ｂ及び取付用穴部４５ｃが形成されている。
【００５９】
この補強用部材４５は、固定部材２１との結合の際に、鏡筒４１の固定用被係合部４１ａに固定用被係合部４５ａを重ね、取付用突起部２１ｃに取付用穴部４５ｃを係合させ、取付用ねじ４２が取付用ねじ穴４５ｂにねじ込まれて固定される。
【００６０】
また、左右の補強用部材４５の外周縁は、図１５に示されるように、外装カバー５１の上側カバー５２と下側カバー５３の合わせ部内周面の溝部に係合して、外装カバー５１の歪みを抑制している。
【００６１】
以上、実施形態の曲面ミラー１の取付構造によれば、曲面ミラー１、第１保持部材１１、第２保持部材１２、及び固定部材２１を、外装カバー５１と非接触状態としたことで、外装カバー５１に外部から衝撃が加えられて変形したとしても、曲面ミラー１と第１保持部材１１及び第２保持部材１２に外力が伝わらず、従って、第１保持部材１１及び第２保持部材１２に備えた第１角度調整機構Ａ１、第２角度調整機構Ａ２による曲面ミラー１の角度調整が狂わない。
【００６２】
また、補強用部材４５は、外装カバー５１の内部に沿わせた形状で、固定部材２１よりも外周側に取り付けられて、固定部材２１及び曲面ミラー１の各調整機構及び保持機構とは接触しておらず、外装カバー５１からの外力を鏡筒４１へ直接伝達して、固定部材２１及び曲面ミラー１の各調整機構及び保持機構への影響を抑制することができる。
【００６３】
さらに、補強用部材４５により、外装カバー５１の歪みを抑制することができる。
【００６４】
（変形例）
以上の実施形態においては、光軸と直交する軸線を第１軸線、光軸と直交して、かつ第１軸線と直交する軸線を第２軸線としたが、これに限らず、光軸と直交する軸線と平行な軸線を第１軸線、光軸と直交して、かつ第１軸線と直交する軸線と平行な軸線を第２軸線としてもよい。
さらに、その他、具体的な細部構造等について適宜に変更可能であることは勿論である。
【符号の説明】
【００６５】
１  曲面ミラー
１ａ  第１係合部
１ｂ  突起部
１ｃ  穴部
１ｄ  突起部
２  第１被係合部材
３  スプリングワッシャ（弾性部材）
４  調整用ねじ
５  圧縮バネ
６  ビス
７  板バネ
８  板バネ
９  ビス
１１  第１保持部材（ミラー保持部材）
１１ａ  貫通孔
１１ｂ  突起部
１１ｃ  穴部
１１ｄ  位置調整用溝部
１１ｅ  延設部
１１ｆ  穴部
１１ｇ  延設部
１１ｈ  穴部（第２係合部）
１１ｉ  調整用穴部
１２  第２保持部材（ミラー保持部材）
１２ｅ  突出部
１２ｆ  固定用ねじ穴部
１２ｈ  穴部（第２被係合部）
１２ｊ  調整用治具固定部
１２ｋ  穴部
１２ｍ  平面部
１２ｎ  平面部
１２ｐ  調整用ねじ穴部（第３係合部）
１３  固定用ねじ
１４  スプリングワッシャ
１５  平ワッシャ
１６  平ワッシャ
１７  調整用ねじ
１８  圧縮バネ
２１  固定部材
２１ａ  固定用係合部
２１ｂ  取付用ねじ穴
２１ｃ  取付用突起部
２１ｋ  固定用ねじ穴部
２１ｐ  壁部（第３被係合部）
２２  固定用ねじ
２３  スプリングワッシャ
２４  平ワッシャ
２５  平ワッシャ
２６  調整用ねじ（位置調整部材）
３１  冶具部材
３１ｉ  突起部
３２  冶具固定用ねじ
４１  鏡筒
４１ａ  固定用被係合部
４１ｂ  取付用ねじ穴
４１ｃ  取付用穴部
４２  取付用ねじ
４５  補強用部材
４５ａ  固定用被係合部
４５ｂ  取付用ねじ穴
４５ｃ  取付用穴部
５１  外装カバー
５２  上側カバー
５３  下側カバー
５４  上側カバー固定ねじ
５５  下側カバー固定ねじ
５６  外装カバー固定ねじ
Ａ１  第１角度調整機構
Ａ２  第２角度調整機構
Ｂ１  第１姿勢保持機構
Ｂ２  第２姿勢保持機構
Ｂ３  第３姿勢保持機構
Ｃ１  第１位置調整機構
【図１】
2014139608.tif 000003
【図２】
2014139608.tif 000004
【図３】
2014139608.tif 000005
【図４】
2014139608.tif 000006
【図５】
2014139608.tif 000007
【図６】
2014139608.tif 000008
【図７】
2014139608.tif 000009
【図８】
2014139608.tif 000010
【図９】
2014139608.tif 000011
【図１０】
2014139608.tif 000012
【図１１】
2014139608.tif 000013
【図１２】
2014139608.tif 000014
【図１３】
2014139608.tif 000015
【図１４】
2014139608.tif 000016
【図１５】
2014139608.tif 000017
【図１６】
2014139608.tif 000018